(57)【要約】【課題】商品見本としてのカードを簡単に照明できるようにする。【解決手段】案内看板部の背面側に設けられた電照部と、前記案内看板部の下方で、かつ、前記電照部の光線が表面に照射できるように所定の角度を有して設けられた商品陳列板とを有する。【選択図】　　　図１
2004133590.tif 000002
【特許請求の範囲】
【請求項１】
案内看板部の背面側に設けられた電照部と、
前記案内看板部の下方で、かつ、前記電照部の光線が表面に照射できるように所定の角度を有して設けられた商品陳列板と、
を有することを特徴とする自動券売機。
【請求項２】
請求項１に記載の自動券売機において、案内看板部の背面には、電照部の光線を分散させる分散板が設けられていることを特徴とする自動券売機。
【請求項３】
請求項１又は２に記載の自動券売機において、商品陳列板は、下辺又は上辺を中心に回動自在に設けられていることを特徴とする自動券売機。
【発明の詳細な説明】
【０００１】
【発明の属する技術分野】
本発明は自動券売機に係り、特に、プリペイドカードやストアードフェアカード等のようなカードを発売するためのものに関する。
【０００２】
【従来の技術】
従来、例えば、特開平１０−３３４２９０号公報に示されるように、現在多用されている自動券売機には、利用者（旅客）に機種や稼動状態等を知らせるための案内看板部がその自動券売機の本体の接客面の上部に設けられている。この案内看板部は、接客面側に所定の案内用の文字が記載されているとともに、その背面側（接客面側と反対側）には、蛍光灯等からなる電照部が設けられている。したがって、自動券売機が稼動中で電照部が点灯すると、案内看板部の表示内容を利用者に明瞭に知らせることができる。
【０００３】
【発明が解決しようとする課題】
ところで、近年、乗車券のみならずプリペイドカードやストアードフェアカード等のカードも自動券売機で購入できるようになってきているとともに、カード専用の自動券売機も出現しているが、このようなカードを発行することのできる自動券売機は、電照部を備えた案内看板は設けられているが、見本のカードを照明する手段が設けられていないので、カードの内容が見づらいという欠点があった。
【０００４】
そこで、本発明は、上記欠点を解決するためになされたものであって、その目的は、商品としてのカードを従来から用いられている案内看板部の電照部を利用して照明することのできる自動券売機を提供することにある。
【０００５】
【課題を解決するための手段】
本発明に係る自動券売機は、上記目的を達成するために、請求項１に記載の発明は、案内看板部の背面側に設けられた電照部と、前記案内看板部の下方で、かつ、前記電照部の光線が表面に照射できるように所定の角度を有して設けられた商品陳列板と、を有することを特徴としている。
本発明の請求項２に記載の自動券売機は、案内看板部の背面には、電照部の光線を分散させる分散板が設けられていることを特徴としている。
本発明の請求項３に記載の自動券売機は、商品陳列板は、下辺又は上辺を中心に回動自在に設けられていることを特徴としている。
【０００６】
【発明の実施の形態】
以下、本発明の実施の形態を図面に基づいて説明する。図１（ａ）は、本発明に係る自動券売機をカードのみを発行するカード専用の自動券売機の本体（以下、「券売機本体」という。）の正面図、同図（ｂ）は、同図（ａ）のＡ−Ａ線拡大断面図である。
【０００７】
券売機本体ａの接客面１の上部には、券売機本体ａの機種の内容を利用者に知らせるための案内看板部２が設けられているとともに、その案内看板部２の下方に本発明の商品に相当する複数（図示の例では５枚）の見本のカードＣ１　〜Ｃ５　を陳列する商品陳列板３が設けられている。なお、この案内看板部２及び商品陳列板３については、後に詳述する。
【０００８】
上記商品陳列板３の下方の接客面１には、その商品陳列板３に貼付して陳列されている見本のカードＣ１　〜Ｃ５　に対応して選択釦４ａ〜４ｅがそれぞれ設けられている。また、これら選択釦４ａ〜４ｅの下方の接客面１には、カードの購入代金としての紙幣を挿入する挿入口５、カードの購入代金としての硬貨を投入するための投入口６、カードを発行するための発券口７及び釣銭の放出口８が設けられている。なお、接客面１には、カードの購入を途中で中止するときに押下される取消釦や係員と応答するときに用いられる呼出釦等も設けられているが、ここでは省略されている。
【０００９】
上記構成からなる券売機本体ａでカードを購入するには、見本のカードＣ１　〜Ｃ５　の中から所定のカードをカードの図柄や購入しようとするカードの金額（カードの購入金額は、図示しないが、見本のカードＣ１　〜Ｃ５　の上側又は下側にそれぞれ表示されている。）により選択し、その選択したカードに対応した釦を押下するとともに、購入代金を満たす金銭を挿入口５等から挿入すると、発券口７から選択されたカードが発行される。
【００１０】
図１（ｂ）は、案内看板部２及び商品陳列板３の詳細図である。案内看板部２は、透明又は半透明材の板材からなり、その表面（又は裏面）に所定の案内内容（図示の例では、「ＳＦカード発売中」の文字）が記載されている。なお、この案内看板部２は、後述する分散板１０と兼用することができる。すなわち、所定の案内内容をその分散板１０に記載して案内看板部２と分散板１０とを兼用するようにしてもよい。
【００１１】
商品陳列板３の前方に位置する接客面１側には、透明な板材１′が設けられていて、商品陳列板３の表面を見ることができるように構成されている。なお、この板材１′は省略することもできるが、この板材１′を設けると、商品陳列板３上のカードＣ１　〜Ｃ５　を保護することができる効果がある。
【００１２】
商品陳列板３は、不透明の板材からなり、その下辺は、券売機本体ａのフレームＦに図示しないヒンジにより回動自在に設けられている。そして、その上辺側は、フレームＦに設けられている図示しないストッパにより保持されるように構成されている。商品陳列板３がそのストッパで保持されているときは、その商品陳列板３の上辺位置が下辺位置よりも券売機本体ａの奥（内側）となるように、つまり、所定の角度を有するように保持される（図１（ｂ）の実線で示される商品陳列板３参照。）。この商品陳列板３の表面側（接客面側）には、図示しないが、カードＣ１　〜Ｃ５　を所定位置に保持（貼付）する係止部が設けられている。また、この商品陳列板３は、下辺部を中心にして回動することができるので、商品陳列板３を図１（ｂ）の二点鎖線で示されるように、接客面１側と反対側、すなわち、係員処理部側に回動させることにより、容易に商品見本のカードＣ１　〜Ｃ５　を交換することができる特長がある。なお、この商品陳列板３は、上辺にヒンジを設けて回動するようにしてもよい。
【００１３】
図中、１０は、Ｌ字状を呈した曇りガラス等からなる分散板であって、案内看板部２の背面側（券売機本体ａの内側）で、かつ、商品陳列板３の表面側（接客面側）の上方に位置して設けられている。この分散板１０は、その分散板１０よりも内側に設けられている、本発明の電照部に相当する蛍光灯１１からの光線を分散できるように凹凸面を有している。したがって、案内看板部２に記載されている案内内容を利用者が見やすくなる特長がある。また、この分散板１０は、商品陳列板３の表面上方に位置しているので、蛍光灯１１により商品陳列板３を照明することができる。したがって、利用者は、商品陳列板３上のカードＣ１　〜Ｃ５　を容易に認識することができる効果がある。
【００１４】
【発明の効果】
本発明の請求項１に記載の自動券売機は、案内看板部の背面側に設けられた電照部と、前記案内看板部の下方で、かつ、前記電照部の光線が表面に照射できるように所定の角度を有して設けられた商品陳列板とを有するので、商品陳列板を効果的に照明することができる。
本発明の請求項２に記載の自動券売機は、案内看板部の背面には、電照部の光線を分散させる分散板が設けられているので、電照部の光線を効果的に分散させることができる。
本発明の請求項３に記載の自動券売機は、商品陳列板は、下辺又は上辺を中心に回動自在に設けられているので、カード等の商品の交換を容易に行うことができる。
【図面の簡単な説明】
【図１】（ａ）は、本発明の一実施の形態に係る券売機本体の正面図、（ｂ）は、（ａ）のＡ−Ａ線拡大断面図である。
【符号の説明】
ａ　自動券売機の本体（券売機本体）
１　接客面
２　案内看板部
３　商品陳列板
Ｃ１　〜Ｃ５　　カード（商品）
４ａ〜４ｅ　選択釦
５　挿入口
６　投入口
７　発券口
８　放出口
１０　分散板
１１　蛍光灯（電照部）
【図１】
2004133590.tif 000003